(57)【要約】【課題】  ホログラフィを利用して光情報記録媒体に情報を記録する光情報記録装置において、情報光と参照光が互いに異なる軸上を進行し、交差または合成による軸合わせに高い精度が要求されるため、複数の光情報記録装置間で互換性を保つことが難しい。【解決手段】  対物レンズの周辺部の屈折率を高めて、光情報記録媒体に対する情報の記録時には、周辺部を通過した記録用参照光の一部が中央部を通過した情報光と光情報記録媒体の中で交差して干渉パターンを記録させる。【選択図】  図１
2005122867.tif 000002
【特許請求の範囲】
【請求項１】
ホログラフィを利用して情報が記録される情報記録層を備えた光情報記録媒体に対して情報を記録するための光情報記録装置であって、光源から出射された光束のうち情報光の光軸と記録用参照光の光軸が、光源から出射され光情報記録媒体に入射するまで一度も分離しないで同一の光路をたどることを特徴とする光情報記録装置。
【請求項２】
ホログラフィを利用して情報が記録される情報記録層を備えた光情報記録媒体に対して情報を記録するための光情報記録装置であって、前記光情報記録媒体に対して対向するように配置されるピックアップ装置を備え、このピックアップ装置が、光束を出射する光源と、この光源から出射される光束を空間的に変調することによって情報を担持した情報光を生成する情報光生成手段と、中央部の焦点と周辺部の焦点が異なる対物レンズと、前記情報光の一部と前記対物レンズを用いて記録用参照光を生成する記録用参照光生成手段と、前記情報記録層に情報光と記録用参照光との干渉による干渉パターンによって情報が記録されるように、前記情報光生成手段によって生成された情報光と前記記録用参照光生成手段によって生成された記録用参照光とを、前記情報記録層に対して同一面側より照射する記録光学系と、前記情報記録層に対する情報の記録時に、情報記録層に形成された干渉パターンによって記録用参照光が回折されて生じる再生光を検出する再生光検出手段とを有することを特徴とする光情報記録装置。
【請求項３】
前記対物レンズが、中央部を通過した平行光が集光する手前で周辺部を通過した平行が集光するように中央部より周辺部の焦点距離が短い対物レンズであることを特徴とする請求項２記載の光情報記録装置。
【請求項４】
前記情報光生成手段において、各画素毎の透過状態と遮断状態を選択して通過する光を空間的に変調して情報光を生成する空間光変調器において、円形の有効画素の内、常時、周辺部分を透過状態して記録および再生を行うことを特徴とする光情報記録装置。
【発明の詳細な説明】
【技術分野】
【０００１】  本発明は、ホログラフィを利用して光情報記録媒体に情報を記録する光情報記録装置に関する。
【背景技術】
【０００２】  ホログラフィを利用して記録媒体に情報を記録するホログラフィック記録は、一般的に、イメージ情報を持った光と参照光とを記録媒体の内部で重ね合わせ、そのときにできる干渉縞を記録媒体に書き込むことによって行われる。記録された情報の再生時には、その記録媒体に参照光を照射することにより、干渉縞による回折によりイメージ情報が再生される。【０００３】  図８は、従来のホログラフィーデジタルデータ記憶システムの構成図である。光源３００、ウェーブプレート３０２、３１０、ビーム拡大器３０４、偏光スプリッタ３０６、ＣＣＤ３０８、ミラー３１２、マイクロミラーアレイ３１４、レンズ３１６、３１８及び記憶媒体３２０からなる。【０００４】  光源３００はホログラフィーデジタルデータ記憶システムの記録及び再生動作に必要な必須構成要素として、例えば、レーザーを用いることができる。【０００５】  ウェーブプレート３０２、３１０はそれぞれ光源３００とビーム拡大器３０４の間と、偏光スプリッタ３０６とマイクロミラーアレイ３１４の間に設けられ、入射するレーザー光の偏光方向を回転させる。【０００６】  ビーム拡大器３０４は入射するレーザー光の大きさを拡大させ、偏光スプリッタ３０６は入射したレーザー光を偏光方向に垂直である垂直偏光ビームと偏光方向に水平である水平偏光ビームに分ける。【０００７】  ミラー３１２は垂直偏光ビームを反射させて、所定方向の光経路が形成できるようにする。マイクロミラーアレイ３１４は多数のミラーピクセルで構成されており、それぞれのミラーピクセルを調整することによって入射される水平偏光ビームを望む方向に選択的に反射させることができ、空間的に光を変調することができる。【０００８】  レンズ３１６、３１８はそれぞれミラー３１２及びマイクロミラーアレイ３１４から反射されたレーザー光を集結させる。そして記憶媒体３２０の内部で干渉させて情報を記憶する。
【発明が解決しようとする課題】
【０００９】  従来の構成では、光源から光束をビームスプリッタで情報光と参照光を分離している。そして、それぞれ異なった光路を経て交差または合流をしている。交差させる場合、再現良く干渉を起こすためには、レンズ３１６、３１８のお互いの光軸合わせに高い精度が要求される。また、分離した情報光と参照光を途中で合流して光軸合わせを行ってから最後に記憶媒体の内部で交差させる場合も、合流する時点で情報光と参照光の光軸合わせに高い精度が要求される。
【００１０】  しかし、光情報記録装置の製造メーカーによるばらつきや、または同一の製造メーカーでも機種間によるばらつき、さらには温度、湿度および動作時の振動などによる一台一台によるばらつきがあるため、一度分離した情報光と参照光のお互いの光軸合わせに要求される高い精度を満足するのは容易ではなかった。
【００１１】  本発明は、かかる問題点に鑑みてなされたもので、その目的は、ホログラフィを利用して光情報記録媒体に情報を記録する光情報記録装置であって、情報光の光軸と参照光の光軸が光路の途中で分離することなく、光情報記録媒体に入射する。そのために光学系を小型にすることができ、また、各光軸を合わせる必要がなくなる。それにより、メーカー間や機種間、さらには一台一台のばらつきを最小限に抑えることができるので、複数の光情報記録装置間で高い互換性を得ることがてきる光情報記録装置を提供することにある。
【課題を解決するための手段】
【００１２】  本発明の光情報記録装置は、ホログラフィを利用して情報が記録される情報記録層を備えた光情報記録媒体に対して情報を記録するための光情報記録装置であって、前記光情報記録媒体に対して対向するように配置されるピックアップ装置を備え、このピックアップ装置が、光束を出射する光源と、この光源から出射される光束を空間的に変調することによって情報を担持した情報光を生成する情報光生成手段と、中央部の焦点と周辺部の焦点が異なる対物レンズと、前記情報光の一部と前記対物レンズを用いて記録用参照光を生成する記録用参照光生成手段と、前記情報記録層に情報光と記録用参照光との干渉による干渉パターンによって情報が記録されるように、前記情報光生成手段によって生成された情報光と前記記録用参照光生成手段によって生成された記録用参照光とを、前記情報記録層に対して同一面側より照射する記録光学系と、前記情報記録層に対する情報の記録時に、情報記録層に形成された干渉パターンによって記録用参照光が回折されて生じる再生光を検出する再生光検出手段とを有している。
【００１３】  本発明によれば、情報光と記憶用参照光が光路の途中で分離しないので、分離に必要な光学系を省略できて小型にすることができる。また、従来、分離した情報光と記憶用参照光を、交差または合流するための光軸合わせに高い精度が必要で、複数の光情報記録装置間で互換性を保つことは容易でなかったが、本発明によれば、情報光と記憶用参照光の光軸が光路の途中で異なることが一度もないので、光軸合わせが必要なく、そのため複数の光情報記録装置間で互換性を保つことが容易である。
【発明を実施するための最良の形態】
【００１４】  以下、本発明の実施の形態について図面を参照して詳細に説明する。図１は、本実施の形態に係る光情報記録再生装置におけるピックアップ装置（以下、単にピックアップと言う。）と本実施の形態における光情報記録媒体の構成を示す説明図である。図２は本実施の形態に係る光情報記録再生装置の全体構成を示すブロック図である。なお、光情報記録再生装置は、光情報記録装置と光情報再生装置とを含んでいる。【００１５】  始めに、図１を参照して、本実施の形態における光情報記録媒体の構成について説明する。この光情報記録媒体１は、ポリカーボネート等によって形成された円板状の透明基板２の一面に、ホログラフィを利用して情報が記録される情報記録層としてのホログラム層３と、反射膜５と、保護層４とを、この順番で積層して構成されている。ホログラム層３と保護層４との境界面には、半径方向に線状に延びる複数の位置決め領域としてのアドレス・サーボエリア６が所定の角度間隔で設けられ、隣り合うアドレス・サーボエリア６間の扇形の区間がデータエリア７になっている。ホログラム層３は、光が照射されたときに光の強度に応じて屈折率、誘電率、反射率等の光学的特性が変化するホログラム材料によって形成されている。反射膜５は、例えばアルミニウムによって形成されている。【００１６】  次に、図２を参照して、本実施の形態に係る光情報記録再生装置の構成について説明する。この光情報記録再生装置１０は、光情報記録媒体１が取り付けられるスピンドル８１と、このスピンドル８１を回転させるスピンドルモータ８２と、光情報記録媒体１の回転数を所定の値に保つようにスピンドルモータ８２を制御するスピンドルサーボ回路８３とを備えている。光情報記録再生装置１０は、更に、光情報記録媒体１に対して情報光を照射して情報を記録すると共に、光情報記録媒体１に対して再生用参照光を照射し、再生光を検出して、光情報記録媒体１に記録されている情報を再生するためのピックアップ１１と、このピックアップ１１を光情報記録媒体１の半径方向に移動可能とする駆動装置８４とを備えている。【００１７】  光情報記録再生装置１０は、更に、ピックアップ１１の出力信号よりフォーカスエラー信号ＦＥ，トラッキングエラー信号ＴＥおよび再生信号ＲＦを検出するための後述するＣＣＤアレイ２０と信号処理回路８９と、この信号処理回路８９によって検出されるフォーカスエラー信号ＦＥに基づいて、ピックアップ１１内のアクチュエータを駆動して対物レンズを光情報記録媒体１の厚み方向に移動させてフォーカスサーボを行うフォーカスサーボ回路８６と、信号処理回路８９によって検出されるトラッキングエラー信号ＴＥに基づいてピックアップ１１内のアクチュエータを駆動して対物レンズを光情報記録媒体１の半径方向に移動させてトラッキングサーボを行うトラッキングサーボ回路８７と、トラッキングエラー信号ＴＥおよび後述するコントローラからの指令に基づいて駆動装置８４を制御してピックアップ１１を光情報記録媒体１の半径方向に移動させるスライドサーボを行うスライドサーボ回路８８とを備えている。【００１８】  光情報記録再生装置１０は、更に、ピックアップ１１内の後述するＣＣＤアレイの出力デー��をデコードして、光情報記録媒体１のデータエリア７に記録されたデータを再生したり、基本クロックを再生したりアドレスを判別したりする信号処理回路８９と、光情報記録再生装置１０の全体を制御するコントローラ９０と、このコントローラ９０に対して種々の指示を与える操作部９１とを備えている。コントローラ９０は、信号処理回路８９より出力される基本クロックやアドレス情報を入力すると共に、ピックアップ１１、スピンドルサーボ回路８３およびスライドサーボ回路８８等を制御するようになっている。スピンドルサーボ回路８３は、信号処理回路８９より出力される基本クロックを入力するようになっている。コントローラ９０は、ＣＰＵ（中央処理装置）、ＲＯＭ（リード・オンリ・メモリ）およびＲＡＭ（ランダム・アクセス・メモリ）を有し、ＣＰＵが、ＲＡＭを作業領域として、ＲＯＭに格納されたプログラムを実行することによって、コントローラ９０の機能を実現するようになっている。【００１９】  次に、図１を参照して、本実施の形態におけるピックアップ１１の構成について説明する。ピックアップ１１は、スピンドル８１に光情報記録媒体１が固定されたときに、光情報記録媒体１の透明基板２側に対向する対物レンズ１２と、この対物レンズ１２を光情報記録媒体１の厚み方向および半径方向に移動可能なアクチュエータ１３と、対物レンズ１２における光情報記録媒体１の反対側に、プリズムブロック１９を備えている。【００２０】  対物レンズ１２は、レンズの有効面積の内、周辺部１５が中心部１４に比較して屈折率を異常に高く加工して、焦点距離を短くする。したがって、中心部１４を通過した光束５１が集光する点よりも手前で、周辺部１５を通過した光５２が集光する。【００２１】  プリズムブロック１９は、対物レンズ１２から順に半反射面１９ｂと半反射面１９ａを有している。半反射面１９ｂと、半反射面１９ａはお互いに平行である。【００２２】  ピックアップ１１は、更に、光情報記録媒体１からの戻り光が、プリズムブロック１９の半反射面１９ｂで半反射されて検出できる位置に検出手段としてのＣＣＤアレイ２０を備えている。【００２３】  ピックアップ１１は、更に、半反射面１９ａに対応する位置で、対物レンズ１２と反対側に空間光変調器１８を備えている。【００２４】  空間光変調器１８は、格子状に配列された多数の画素を有し、各画素毎に光の透過状態と遮断状態とを選択することによって、光強度によって光を空間的に変調して、情報を担持した情報光を生成することができるようになっている。この空間光変調器１８としては、液晶素子を用いることができる。空間光変調器１８は、本発明における情報光生成手段を構成する。【００２５】  ピックアップ１１は、更に、空間光変調器１８のプリズムブロック１９とは反対側の側方に、コリメータレンズ２４および光源装置２５を備えている。光源装置２５は、コヒーレントな直線偏光の光を出射するもので、例えば半導体レーザを用いることができる。【００２６】  ピックアップ１１は、更に、光源装置２５側からの光がプリズムブロック１９の半反射面１９ａで半反射される方向に配置されたフォトディテクタ２６を備えている。フォトディテクタ２６は、光源装置２���からの光を受光し、その出力は光源装置２５の出力を自動調整するために用いられるようになっている。【００２７】  なお、ピックアップ１１内の空間光変調器１８および光源装置２５は、図２におけるコントローラ９０によって制御されるようになっている。【００２８】  次に、本実施の形態に係る光情報記録再生装置の作用について、サーボ時、記録時、再生時に分けて、順に説明する。なお、サーボ時、記録時、再生時のいずれのときも、光情報記録媒体１は規定の回転数を保つように制御されてスピンドルモータ８２によって回転される。【００２９】  まず、図１を参照して、サーボ時の作用について説明する。サーボ時には、空間光変調器１８の全画素が透過状態にされる。光源装置２５の出射光の出力は、再生用の低出力に設定される。なお、コントローラ９０は、信号処理回路８９より再生された基本クロックに基づいて、対物レンズ１２の出射光がアドレス・サーボエリア６を通過するタイミングを予測し、対物レンズ１２の出射光がアドレス・サーボエリア６を通過する間、上記の設定とする。【００３０】  光源装置２５から出射された光は、コリメータレンズ２４によって平行光束とされ、全画素が透過状態の空間光変調器１８を通過し、プリズムブロック１９に入射し、半反射面１９ａで光量の一部は透過し、一部は反射される。半反射面１９ａで反射された光はフォトディテクタ２６によって受光される。半反射面１９ａを透過した光は、半反射面１９ｂを通過して、さらにプリズムブロック１９を抜けて、対物レンズ１２に入射される。対物レンズに入射された光は、光情報記録媒体１におけるホログラム層３と保護層４の境界面上で収束するように、情報記録媒体１に照射される。この光は、光情報記録媒体１の反射膜５で反射されて、対物レンズ１２側に戻ってくる。【００３１】  光情報記録媒体１からの戻り光は、対物レンズ１２で平行光束とされ、プリズムブロック１９に入射して、半反射面１９ｂで反射する。半反射面１９ｂで反射した戻り光は、ＣＣＤアレイ２０によって検出される。そして、このＣＣＤアレイ２０の出力に基づいて、信号処理回路８９によって、フォーカスエラー信号ＦＥ，トラッキングエラー信号ＴＥ、再生信号ＲＦが生成され、これらの信号に基づいて、フォーカスサーボおよびトラッキングサーボが行われると共に、基本クロックの再生およびアドレスの判別が行われる。【００３２】  ここで、ＣＣＤアレイ２０と信号処理回路８９によるフォーカスエラー信号ＦＥ，トラッキングエラー信号ＴＥおよび基本クロックの生成方法を説明する。光情報記録媒体１におけるアドレス・サーボエリア６に、データエリア７におけるホログラフィを利用した記録と同様の方法で所定のパターンのアドレス情報等を記録しておき、サーボ時にもピックアップを再生時と同じ状態にして、そのアドレス情報等をＣＣＤアレイ２０で検出する。この場合、基本クロックおよびアドレスは、ＣＣＤアレイ２０の検出データから直接得ることができる。トラッキングエラー信号は、ＣＣＤアレイ２０上の再生パターンの位置の情報から得ることができる。また、フォーカスサーボは、ＣＣＤアレイ２０上の再生パターンのコントラストが最大になるように対物レンズ１２を駆���することで行うことができる。【００３３】  次に、記録時の作用について図１および図３を参照して説明する。図３は、空間光変調器１８の画素が配列するようすを示している。３０は、空間光変調器１８の全画素である。円３１は、対物レンズ１２を通過する光束を変調できる範囲を示す。したがって、円３１の内部が有効画素となる。記録時には、空間光変調器１８は、記録する情報に応じて各画素毎に透過状態（以下、オンとも言う。）と遮断状態（以下、オフとも言う。）を選択して、通過する光を空間的に変調して、情報光を生成する。ただし、図３に示すように有効画素の円３１の内部で、周辺部の環状３２は透過状態にしておく。この環状部分を通過した光りは、記録用参照光となり、のちに対物レンズの周辺部１５を通過する。【００３４】  光源装置２５の出射光の出力は、パルス的に記録用の高出力にされる。なお、コントローラ９０は、信号処理回路８９より再生された基本クロックに基づいて、対物レンズ１２の出射光がデータエリア７を通過するタイミングを予測し、対物レンズ１２の出射光がデータエリア７を通過する間、上記の設定とする。対物レンズ１２の出射光がデータエリア７を通過する間は、フォーカスサーボおよびトラッキングサーボは行われず、対物レンズ１２は固定されている。【００３５】  図１において、光源装置２５から出射された光は、コリメータレンズ２４によって平行光束とされ、空間光変調器１８を通過し、その際に、記録する情報に従って空間的に変調されて情報光となる。この情報光は、対物レンズ１２によって集光されて、光情報記録媒体１におけるホログラム層３と保護層４の境界面、すなわち、反射膜５上で収束するように、光情報記録媒体１に照射される。ただし、反射膜５上で収束するのはレンズの中心部１４を通過した光束である。【００３６】  一方、対物レンズ１２の周辺部１５を通過した記録用参照光は、集光されて光情報記録媒体１に照射され、ホログラム層３と保護層４との境界面よりも手前側で一旦最も小径となるように収束した後、発散しながらホログラム層３を通過する。【００３７】  図４および図５は記録時における光の状態を示す説明図である。図４に示したように、対物レンズ１２の中央部１４の左側を通過した情報光５１Ｌは、光情報記録媒体１に照射され、ホログラム層３を通過し、反射膜５上で最も小径となるように収束すると共に反射膜５で反射されて、再度ホログラム３を通過する。その時、対物レンズ１２の周辺部１５を通過した記録用参照光５２Ｌは、情報記録媒体１に照射され、ホログラム層３と保護層４との境界面よりも手前側で一旦最も小径となるように収束した後、発散しながらホログラム層３を通過する。そして、ホログラム層３内において、反射膜５で反射された情報光５１Ｌと反射膜５側に進む対物レンズ１２の周辺部１５を通過した記録用参照光５２Ｌとが干渉して干渉パターン１６を形成し、光源装置２０の出射光の出力が高出力になったとき、その干渉パターンがホログラム層３内に体積的に記録される。【００３８】  また、図５に示したように、対物レンズ１２の中央部１４の左側を通過した情報光５１Ｒは、光情報記録媒体１に照射され、ホログラム層３を通過し、反射膜５上で最���小径となるように収束すると共に反射膜５で反射されて、再度ホログラム３を通過する。その時、対物レンズ１２の周辺部１５を通過した記録用参照光５２Ｒは、情報記録媒体１に照射され、ホログラム層３と保護層４との境界面よりも手前側で一旦最も小径となるように収束した後、発散しながらホログラム層３を通過する。そして、ホログラム層３内において、反射膜５で反射された情報光５１Ｒと反射膜５側に進む対物レンズ１２の周辺部１５を通過した記録用参照光５２Ｒとが干渉して干渉パターン１７を形成し、光源装置２０の出射光の出力が高出力になったとき、その干渉パターンがホログラム層３内に体積的に記録される。【００３９】  情報光は、上述のように、光情報記録媒体１におけるホログラム層３と保護層４の境界面上で最も小径となるように収束するように照射され、情報記録媒体１の反射膜５で反射されて対物レンズ１２側に戻ってくる。この戻り光は、サーボ時と同様にして、ＣＣＤアレイ２０に入射する。このＣＣＤアレイ２０に入射する光を用いて、記録時にもフォーカスサーボを行うことが可能である。なお、対物レンズ１２の周辺部１５を通過した記録用参照光は、光情報記録媒体１におけるホログラム層３と保護層４の境界面よりも手前側で最も小径となるように収束して発散光となるため、情報記録媒体１の反射膜５で反射されて対物レンズ１２側に戻ってきてもＣＣＤアレイ２０上では結像しない。【００４０】  次に、図１および図３を参照して、再生時の作用について説明する。再生時には、図３に示す空間光変調器１８の円形の有効画素の円３１の内部の周辺部の環状３２がオンにされ、残りの画素は全てオフにする。【００４１】  光源装置２５の出射光の出力は、再生用の低出力にされる。なお、コントローラ９０は、信号処理回路８９より再生された基本クロックに基づいて、対物レンズ１２の出射光がデータエリア７を通過するタイミングを予測し、対物レンズ１２の出射光がデータエリア７を通過する間、上記の設定とする。対物レンズ１２の出射光がデータエリア７を通過する間は、フォーカスサーボおよびトラッキングサーボは行われず、対物レンズ１２は固定されている。【００４２】  図１において、光源装置２５から出射された光は、コリメータレンズ２４によって平行光束とされ、空間変調器１８を通過する。その際に、光は環状に空間的に変調されて再生用参照光となる。その後、再生用参照光はプリズムブロック１９に入射する。光量の一部が半反射面１９ａを透過し、さらに半反射面１９ｂを通過し、プリズムブロック１９を抜け出て、対物レンズ１２に入射する。環状の再生用参照光は、対物レンズの周辺部１５だけに光が入射し、他の中央部には光りが入射しない。上述の記録時の対物レンズ１２の周辺部１５を通過した記録用参照光５２と同一の光になる。【００４３】  対物レンズ１２に入射した再生用参照光は、対物レンズ１２によって集光されて光情報記録媒体１に照射され、ホログラム層３と保護層４との境界面よりも手前側で一旦最も小径となるように収束した後、発散しながらホログラム層３を通過する。【００４４】  図６および図７は再生時における光の状態を示す説明図である。図６に示したように、対物レンズ１２の左側���周辺部１５を通過した再生用参照光５３Ｌは、光情報記録媒体１に照射され、ホログラム層３と保護層４との境界面よりも手前側で一旦最も小径となるように収束した後、発散しながらホログラム層３を通過する。その結果、ホログラム層３より、記録時における情報光５１Ｌに対応する再生光５４Ｌが発生する。この再生光５４Ｌは、対物レンズ１２側に進み、対物レンズ１２で平行光束とされる。【００４５】  また、図７に示したように、対物レンズ１２の右側の周辺部１５を通過した再生用参照光５３Ｒは、光情報記録媒体１に照射され、ホログラム層３と保護層４との境界面よりも手前側で一旦最も小径となるように収束した後、発散しながらホログラム層３を通過する。その結果、ホログラム層３より、記録時における情報光５１Ｒに対応する再生光５４Ｒが発生する。この再生光５４Ｒは、対物レンズ１２側に進み、対物レンズ１２で平行光束とされる。【００４６】  平行光束にされた再生光は、プリズムブロック１９に入射して、反射面１９ｂで反射され、ＣＣＤアレイ２０に入射し、ＣＣＤアレイ２０によって検出される。ＣＣＤアレイ２０上には、記録時における空間光変調器１８によるオン、オフのパターンが結像され、このパターンを検出することで情報が再生される。【００４７】  このＣＣＤアレイ２０に入射する光を用いて、再生時にもフォーカスサーボを行うことが可能である。なお、再生用参照光は、光情報記録媒体１におけるホログラム層３と保護層４の境界面よりも手前側で最も小径となるように収束して発散光となるため、光情報記録媒体１の反射膜５で反射されて対物レンズ１２側に戻ってきてもＣＣＤアレイ２０上では結像しない。【００４８】  一般に、ＣＣＤアレイによって、再生光の２次元パターンを検出する場合、二つの方法がある。一つ目は、再生光とＣＣＤアレイ２０とを正確に位置決めする方法である。二つ目は、あらかじめ記録時に空間光変調器で基準位置を認識するための基準パターンを情報に折り込ませて記憶しておき、再生時にＣＣＤアレイの検出データから再生光のパターンにおける基準位置を認識する方法である。本発明は、どちらでも採用することが可能である。【００４９】  なお、ホログラム層３に記録された情報を検出する素子としては、ＣＣＤアレイではなく、ＭＯＳ型固体撮像素子やその他の撮像素子を用いてもよい。【００５０】  以上説明したように、本実施の形態に係る光情報記録再生装置１０によれば、従来のように記録用参照光と情報光が別の光路を経由するということがないので、従来のホログラフィック記録方式に比べて記録または再生のための光学系を小さく構成することができる。さらに、従来の方法では、光軸を合わせるのに高い精度が要求されるため、複数の光情報記録再生装置の間で互換性を保つことが難しかったが、本実施の形態によれば、情報光と参照光の光軸は、最後まで分離することはないので、光軸合わせに伴う精度の問題が発生しなく、したがって、複数の光情報記録再生装置の間で互換性を保つことが容易になる。
【発明の効果】
【００５１】  以上説明したように本発明によれば、情報光と記憶用参照光が光路の途中で分離しないので、分離に必要な光学系を省略できて小型にすることができる。また、従来、分離した情報光と記憶用参照光を、交差または合流するための光軸合わせに高い精度が必要で、複数の光情報記録装置間で互換性を確保することは容易でなかったが、情報光と記憶用参照光の光軸が光路の途中で異なることが一度もないので、光軸合わせが必要なく、そのため複数の光情報記録装置間で互換性を確保することが容易であるという効果を奏する。
【図面の簡単な説明】
【図１】本発明の実施の形態に係る光情報記録再生装置におけるピックアップおよび光情報記録媒体の構成を示す説明図である。
【図２】本発明の実施の形態に係る光情報記録再生装置の全体構成を示すブロック図である。
【図３】図１で示した空間光変調器の画素が配列する状態を示す図である。
【図４】ピックアップの記録時における光の状態を示す説明図である。
【図５】ピックアップの記録時における光の状態を示す説明図である。
【図６】ピックアップの再生時における光の状態を示す説明図である。
【図７】ピックアップの再生時における光の状態を示す説明図である。
【図８】従来のホログラフィにおける記録再生系の概略の構成を示す図である。
【符号の説明】
１…光情報記録媒体、２…透明基板、３…ホログラム層、４…保護層、５…反射膜、６…アドレス・サーボエリア、７…データエリア、１０…光情報記録再生装置、１１…ピックアップ、１２…対物レンズ、１３…アクチュエータ、１４…対物レンズの中央部、１５…対物レンズの周辺部、１８…空間光変調器、１９…プリズムブロック、、２０…ＣＣＤアレイ、２４…コリメータレンズ、２５…光源装置、２６…フォトディテクタ。
【図１】
2005122867.tif 000003
【図２】
2005122867.tif 000004
【図３】
2005122867.tif 000005
【図４】
2005122867.tif 000006
【図５】
2005122867.tif 000007
【図６】
2005122867.tif 000008
【図７】
2005122867.tif 000009
【図８】
2005122867.tif 000010